(57)【要約】【課題】或る医用画像データと所定の関連性を有する医用画像データを直接的に検索することができ、且つ複数の異なる装置間であっても前記検索が可能な医用画像検索装置及び医用画像検索システムを提供すること。【解決手段】医用画像データについて当該医用画像データに係る医用画像データ識別子を検索条件として端末装置から検索処理を要求されると、当該検索処理を実行し、当該医用画像データと関連を有する医用画像データに係る装置識別情報、患者情報・検査情報・画像データ情報、参照医用画像データ識別子、及び関連情報を検出して前記端末装置に送信する医用画像データ所在管理装置１５を画像検索装置又は医用画像検索システムに具備させる。【選択図】      図１
2010082002.tif 000002
【特許請求の範囲】
【請求項１】
医用画像データを保管する医用画像データ保管装置にネットワークを介して接続される医用画像検索装置であって、
医用画像データの取得及び／又は送信を行なった装置を識別する為の装置識別情報と、医用画像データを識別する為の医用画像データ識別子と、医用画像データに係る患者情報・検査情報・画像データ情報と、当該医用画像データと所定の関連性を有する医用画像データである参照医用画像データの医用画像データ識別子である参照医用画像データ識別子と、前記所定の関連性を示す情報である関連情報と、を管理し、且つ該管理に係る情報の登録処理、更新処理、削除処理、及び検索処理を実行する医用画像データ関連情報管理部と、
前記医用画像データ関連情報管理部に登録された情報に基づいて、前記関連情報の作成処理及び更新処理を行う医用画像データ関連情報作成部と、
を具備し、
前記医用画像データ関連情報管理部は、医用画像データについて当該医用画像データに係る医用画像データ識別子を検索条件として端末装置から検索処理を要求されると、当該検索処理を実行し、当該医用画像データと関連を有する医用画像データに係る装置識別情報、患者情報・検査情報・画像データ情報、参照医用画像データ識別子、及び関連情報を検出して前記端末装置に送信することを特徴とする医用画像検索装置。
【請求項２】
前記検査情報及び前記画像データ情報に基づいて、前記関連情報の有用性を示す情報である確度情報を算出して提示する確度情報算出部を含むことを特徴とする請求項１に記載の医用画像検索装置。
【請求項３】
医用画像データ間の撮影位置のずれ量を示す情報と、医用画像データが検査により取得された検査日から当該検索処理当日までに経過した時間を示す情報と、に基づいて、ユーザに提示する関連情報の取捨選択を制御する制御部を含むことを特徴とする請求項１に記載の医用画像検索装置。
【請求項４】
検索要求された頻度を示す検索要求頻度情報に基づいて、ユーザに提示する関連情報の取捨選択を制御する制御部を含むことを特徴とする請求項１に記載の医用画像検索装置。
【請求項５】
医用画像データを保管する医用画像データ保管装置と、
前記医用画像データを表示する医用画像データ表示装置と、
前記医用画像データのネットワーク上における所在を管理する医用画像データ所在管理装置と、
を具備し、
前記医用画像データ保管装置は、
医用画像データの取得及び／又は送信を行なった装置を識別する為の装置識別情報と、医用画像データを識別する為の医用画像データ識別子と、医用画像データに係る患者情報・検査情報・画像データ情報と、当該医用画像データと所定の関連性を有する医用画像データである参照医用画像データの医用画像データ識別子である参照医用画像データ識別子と、前記所定の関連性を示す情報である関連情報と、を取得する情報取得部と、
前記医用画像データ識別子と、前記参照医用画像データ識別子と、前記患者情報・検査情報・画像データ情報と、を前記装置識別情報と関連付けて、医用画像データ所在管理装置に対して登録要求する医用画像データ関連情報登録要求部と、
を有し、
前記医用画像データ表示装置は、
所望の医用画像データと関連を有する医用画像データに係る装置識別情報、患者情報・検査情報・画像データ情報、参照医用画像データ識別子、及び関連情報について、前記医用画像データ所在管理装置に検索処理要求を行い且つ当該検索処理結果を取得する医用画像データ関連情報検索要求部と、
前記医用画像データ関連情報検索要求部により取得した情報を表示し、該表示に係る情報が選択された場合、当該選択された情報に含まれる装置識別情報及び参照医用画像データ識別子に基づいて、当該選択された情報に係る医用画像データを、前記ネットワークを介して取得して表示する医用画像データ表示部と、
を有し、
前記医用画像データ所在管理装置は、
前記装置識別情報と、前記医用画像データ識別子と、前記患者情報・検査情報・画像データ情報と、前記参照医用画像データ識別子と、前記関連情報と、を管理し、該管理に係る情報の登録処理、更新処理、削除処理、及び検索処理を実行する医用画像データ関連情報管理部と、
前記医用画像データ関連情報管理部に登録された情報に基づいて、前記関連情報の作成処理及び更新処理を実行する医用画像データ関連情報作成部と、
を有し、
前記医用画像データ関連情報管理部は、医用画像データについて当該医用画像データに係る医用画像データ識別子を検索条件として前記医用画像データ表示装置から検索処理を要求されると、当該検索処理を実行し、当該医用画像データと関連を有する医用画像データに係る装置識別情報、患者情報・検査情報・画像データ情報、参照医用画像データ識別子、及び関連情報を検出して前記医用画像データ表示装置に送信することを特徴とする医用画像検索システム。
【請求項６】
前記医用画像データ表示装置は、
前記検査情報及び前記画像データ情報に基づいて、各々の前記関連情報の有用性を示す情報である確度情報を算出して提示する確度情報算出部を含むことを特徴とする請求項５に記載の医用画像検索システム。
【請求項７】
前記医用画像データ表示装置は、
医用画像データ間の撮影位置のずれ量を示す情報と、医用画像データが検査により取得された検査日から当該検索処理当日までに経過した時間を示す情報と、に基づいて、ユーザに提示する関連情報の取捨選択を制御する制御部を含むことを特徴とする請求項５に記載の医用画像検索システム。
【請求項８】
前記医用画像データ表示装置は、
検索要求された頻度を示す検索要求頻度情報に基づいて、ユーザに提示する関連情報の取捨選択を制御する制御部を含むことを特徴とする請求項５に記載の医用画像検索システム。
【発明の詳細な説明】
【技術分野】
【０００１】
本発明は、ネットワークを介して医用画像データの検索を行う医用画像検索装置及び医用画像検索システムに関する。
【背景技術】
【０００２】
従来より、被検体の病変部位等を被侵襲的に撮像して３次元医用画像を得るための各種の医用画像診断装置が開発され、適用されている。このような医用画像診断装置としては、超音波画像診断装置やＣＴ画像診断装置、Ｘ線画像診断装置、ＭＲＩ（Ｍａｇｎｅｔｉｃ Ｒｅｓｏｎａｎｃｅ Ｉｍａｇｉｎｇ）画像診断装置などが一般に用いられており、一般的にマルチモダリティと総称されている。これらのマルチモダリティによれば、特に最近の画像処理技術の発達に伴い、高精細な３次元医用画像を短時間で得ることができる。
【０００３】
これらの３次元医用画像に基づいて、それぞれのモダリティ毎に固有の特長を生かした画像診断の手法が確立されており、それぞれの各種専門分野の医学会において研究発表も活発に行われている。
【０００４】
また、作成された高精度な３次元画像は、常時使用可能とするために格納装置に医用画像データとして保存され、診断結果としての関心領域であるＲＯＩ（Ｒｅｇｉｏｎ ｏｆ Ｉｎｔｅｒｅｓｔ）の必要性が生じた場合に、必要性が生じたＲＯＩの医用画像データを、前記格納装置の中から選択することができる。
【０００５】
ところで、格納装置に医用画像データとして断面画像を保存した後に再度断面画像を表示させる場合であって、表示された断面画像と、その表示された断面画像のコロナル、サジタル、アキシャル、オブリーク画像と、を同時表示させた場合に各々の画像についてそれぞれの対応関係が分からなくなる問題が生じている。また、表示画像としてコロナル、サジタル、アキシャル、オブリークの断面画像を任意に選択することができないという問題も生じている。
【０００６】
これらの問題を解決する技術として、例えば特許文献１には次のような技術が開示されている。すなわち、特許文献１には、被検体を撮影して得た画像情報を表示するための画像表示装置において、前記画像情報における断面画像を表示するために断面画像情報の生成を行う断面画像情報生成手段と、前記生成された断面画像情報とは異なる方向から所定の演算処理により縮小した縮小画像情報の生成を行う縮小画像情報生成手段と、前記断面画像情報と前記縮小画像情報とを同時に表示する同時表示手段と、前記同時表示手段により表示される画像を保存する保存手段とを備える画像表示装置が開示されている。
【０００７】
この特許文献１に開示されている技術によれば、表示される断面画像とそれに対応するコロナル、サジタル、アキシャル、オブリークの縮小画像及びその縮小画像に入力された位置表示を同時表示した画像を保存することにより、各々の断面画像がどこの位置における断面画像であるかを容易に理解可能な画像表示装置が提供される。
【特許文献１】特開２００３−１０１３５号公報
【発明の開示】
【発明が解決しようとする課題】
【０００８】
しかしながら、特許文献１に開示されている技術を用いた場合であっても、或る医用画像データから直接的に参照医用画像データ（当該医用画像データに対して何らかの関連性を有する医用画像データ）を検索することができない。さらに、特許文献１に開示されている技術では、異なる装置間においては参照医用画像データの検索を行うこと自体不可能である。
【０００９】
本発明は、前記の事情に鑑みて為されたものであり、医用画像データ間の関連性を示す関連情報を生成して利用することで、或る医用画像データと所定の関連性を有する医用画像データを直接的に検索することができ、且つ複数の異なる装置間であっても前記検索が可能な画像検索装置及び画像検索システムを提供することを目的とする。
【課題を解決するための手段】
【００１０】
前記の目的を達成するために、本発明の第１の態様による医用画像検索装置は、
医用画像データを保管する医用画像データ保管装置にネットワークを介して接続される医用画像検索装置であって、
医用画像データの取得及び／又は送信を行なった装置を識別する為の装置識別情報と、医用画像データを識別する為の医用画像データ識別子と、医用画像データに係る患者情報・検査情報・画像データ情報と、当該医用画像データと所定の関連性を有する医用画像データである参照医用画像データの医用画像データ識別子である参照医用画像データ識別子と、前記所定の関連性を示す情報である関連情報と、を管理し、且つ該管理に係る情報の登録処理、更新処理、削除処理、及び検索処理を実行する医用画像データ関連情報管理部と、
前記医用画像データ関連情報管理部に登録された情報に基づいて、前記関連情報の作成処理及び更新処理を行う医用画像データ関連情報作成部と、
を具備し、
前記医用画像データ関連情報管理部は、医用画像データについて当該医用画像データに係る医用画像データ識別子を検索条件として端末装置から検索処理を要求されると、当該検索処理を実行し、当該医用画像データと関連を有する医用画像データに係る装置識別情報、患者情報・検査情報・画像データ情報、参照医用画像データ識別子、及び関連情報を検出して前記端末装置に送信することを特徴とする。
【００１１】
前記の目的を達成するために、本発明の第２の態様による医用画像検索システムは、
医用画像データを保管する医用画像データ保管装置と、
前記医用画像データを表示する医用画像データ表示装置と、
前記医用画像データのネットワーク上における所在を管理する医用画像データ所在管理装置と、
を具備し、
前記医用画像データ保管装置は、
医用画像データの取得及び／又は送信を行なった装置を識別する為の装置識別情報と、医用画像データを識別する為の医用画像データ識別子と、医用画像データに係る患者情報・検査情報・画像データ情報と、当該医用画像データと所定の関連性を有する医用画像データである参照医用画像データの医用画像データ識別子である参照医用画像データ識別子と、前記所定の関連性を示す情報である関連情報と、を取得する情報取得部と、
前記医用画像データ識別子と、前記参照医用画像データ識別子と、前記患者情報・検査情報・画像データ情報と、を前記装置識別情報と関連付けて、医用画像データ所在管理装置に対して登録要求する医用画像データ関連情報登録要求部と、
を有し、
前記医用画像データ表示装置は、
所望の医用画像データと関連を有する医用画像データに係る装置識別情報、患者情報・検査情報・画像データ情報、参照医用画像データ識別子、及び関連情報について、前記医用画像データ所在管理装置に検索処理要求を行い且つ当該検索処理結果を取得する医用画像データ関連情報検索要求部と、
前記医用画像データ関連情報検索要求部により取得した情報を表示し、該表示に係る情報が選択された場合、当該選択された情報に含まれる装置識別情報及び参照医用画像データ識別子に基づいて、当該選択された情報に係る医用画像データを、前記ネットワークを介して取得して表示する医用画像データ表示部と、
を有し、
前記医用画像データ所在管理装置は、
前記装置識別情報と、前記医用画像データ識別子と、前記患者情報・検査情報・画像データ情報と、前記参照医用画像データ識別子と、前記関連情報と、を管理し、該管理に係る情報の登録処理、更新処理、削除処理、及び検索処理を実行する医用画像データ関連情報管理部と、
前記医用画像データ関連情報管理部に登録された情報に基づいて、前記関連情報の作成処理及び更新処理を実行する医用画像データ関連情報作成部と、
を有し、
前記医用画像データ関連情報管理部は、医用画像データについて当該医用画像データに係る医用画像データ識別子を検索条件として前記医用画像データ表示装置から検索処理を要求されると、当該検索処理を実行し、当該医用画像データと関連を有する医用画像データに係る装置識別情報、患者情報・検査情報・画像データ情報、参照医用画像データ識別子、及び関連情報を検出して前記医用画像データ表示装置に送信することを特徴とする。
【発明の効果】
【００１２】
本発明によれば、医用画像データ間の関連性を示す関連情報を生成して利用することで、或る医用画像データと所定の関連性を有する医用画像データを直接的に検索することができ、且つ複数の異なる装置間であっても前記検索が可能な画像検索装置及び画像検索システムを提供することができる。
【発明を実施するための最良の形態】
【００１３】
［第１実施形態］
以下、図面を参照して本発明の第１実施形態に係る画像検索装置及び画像検索システムについて説明する。
【００１４】
図１は、本第１実施形態に係る医用画像検索システムの一構成例を示す図である。図１に示すように、医用画像検索システム１は、医用画像データ保管装置１１と、医用画像データ表示装置１３と、医用画像データ所在管理装置１５と、を具備する。ここで、医用画像検索システム１を構成する各装置は、ネットワーク１０を介して医用画像診断機器１７Ａ，１７Ｂと接続されている。
【００１５】
前記医用画像データ保管装置１１は、例えば、所謂ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）サーバと称されている装置であり、医用画像データを保管する装置である。
【００１６】
前記医用画像データ表示装置１３は、例えば、画像解析・処理・計測用のワークステーション（Ｗｏｒｋ  Ｓｔａｔｉｏｎ）又はＰＡＣＳのクライアントシステム（Ｃｌｉｅｎｔ  Ｓｙｓｔｅｍ）であり、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に準拠した医用画像データを表示可能な装置である。
【００１７】
前記医用画像データ所在管理装置１５は、後述する関連情報の作成処理及び管理を行い、医用画像データの検索を実行する装置である。
【００１８】
前記医用画像診断機器１７Ａ，１７Ｂは、例えばＣＴ装置等の所謂モダリティであり、診断に要する医用画像データを取得する為の装置である。
【００１９】
前記ネットワーク１０は、例えば、イーサネット(登録商標)等の規格に基づく１０ＢＡＳＥ−Ｔ／１００ＢＡＳＥ−ＴＸ／１０００ＢＡＳＥ−Ｔ等のネットワークとＴＣＰ／ＩＰ等のネットワーク規格に基づいて敷設されたＬＡＮに対して前記の各装置が接続する形態のネットワークである。
【００２０】
ここで、前記医用画像データ保管装置１１、前記医用画像データ表示装置１３、及び前記医用画像診断機器１７Ａ，１７Ｂは、ＤＩＣＯＭ規格に基づいた通信を行う。
【００２１】
なお、図１に示す例では医用画像データ所在管理装置１５は、医用画像検索システム１上において医用画像データ保管装置１１とは独立した装置として構成されているが、医用画像データ保管装置１１を構成するコンピュータ上に実装させる構成としても勿論よい。
【００２２】
以下、上述した各装置の詳細な構成について説明する。
【００２３】
前記医用画像データ保管装置１１は、医用画像データ関連情報登録要求部１１ａを有する。この医用画像データ関連情報登録要求部１１ａは、後述する医用画像データ識別子と、参照医用画像データ識別子と、患者情報・検査情報・画像データ情報と、送信装置識別情報と、を関連付け、後述する医用画像データ関連情報管理部１５ａに対して登録要求する。
【００２４】
前記医用画像データ識別子は、医用画像データを一意に識別するための識別子である。前記参照医用画像データ識別子は、参照医用画像データ（当該医用画像データと関連を有する医用画像データ）の医用画像データ識別子である。前記患者情報・検査情報・画像データ情報は、当該医用画像データに係る患者を示す情報、検査を示す情報、及び画像情報である。前記送信装置識別情報は、ネットワーク１０上で各々の装置を識別する為の情報であり、医用画像データを取得・送信した装置を識別可能にする為の情報である。
【００２５】
ここで、前記医用画像データ識別子、前記参照医用画像データ識別子、前記患者情報・検査情報・画像データ情報、及び前記送信装置識別情報は、医用画像データ表示装置１３及び医用画像データ保管装置１１上で、医用画像データを解析することにより抽出・取得される情報である。
【００２６】
前記医用画像データ表示装置１３は、医用画像データ関連情報登録要求部１３ａと、医用画像データ関連情報検索部１３ｂと、医用画像データ表示部１３ｃと、を有する。
【００２７】
前記医用画像データ関連情報登録要求部１３ａは、医用画像データ識別子と、参照医用画像データ識別子と、患者情報・検査情報・画像データ情報と、送信装置識別情報と、を関連付け、後述する医用画像データ関連情報管理部１５ａに対して登録要求する。
【００２８】
前記医用画像データ関連情報検索部１３ｂは、医用画像データ識別子を検索条件として、医用画像データ関連情報管理部１５ａから、当該医用画像データ識別子と関連を有する医用画像データの送信装置識別情報、患者情報・検査情報・画像データ情報、参照医用画像データ識別子、及び関連情報を取得する。前記関連情報は、関連を有する医用画像データ間の関係性を示す情報であり、詳細は後述する。
【００２９】
換言すれば、前記医用画像データ関連情報検索部１３ｂは、検索処理対象の医用画像データの医用画像データ識別子と関連を有する医用画像データ識別子に対応する医用画像データに係る装置識別情報、患者情報・検査情報・画像データ情報、参照医用画像データ識別子、及び関連情報を、医用画像データ関連情報管理部１５ａから取得する。さらに、該取得した情報を前記医用画像データ表示部１３ｃに表示させ、該表示に係る情報がユーザにより選択された場合、当該選択された情報に含まれる装置識別情報及び参照医用画像データ識別子に基づいて、当該選択された情報に係る医用画像データを、前記ネットワーク１０を介して取得して前記医用画像データ表示部１３ｃに表示させる。
【００３０】
前記医用画像データ表示部１３ｃは、現在表示している医用画像データについての送信装置識別情報、患者情報・検査情報・画像データ情報、参照医用画像データ識別子、及び関連情報を、医用画像データ関連情報検索部１３ｂによって取得し、該取得した情報を表示画像上に表示する。さらに、前記医用画像データ表示部１３ｃは、前記の情報のうち何れかが選択されると、前記医用画像データ関連情報検索部１３ｂにより、それらの情報に含まれる送信装置識別情報、参照医用画像データ識別子に基づいて当該医用画像データを取得して表示する。
【００３１】
前記医用画像データ所在管理装置１５は、医用画像データ関連情報管理部１５ａと、医用画像データ関連情報作成部１５ｂと、を有する。
【００３２】
前記医用画像データ関連情報管理部１５ａは、装置識別情報と、医用画像データ識別子と、患者情報・検査情報・画像データ情報と、参照医用画像データ識別子と、関連情報と、を管理し、それら情報の登録処理・更新処理・削除処理・検索処理を行う管理部である。
【００３３】
前記医用画像データ関連情報作成部１５ｂは、医用画像データ関連情報管理部１５ａに登録された情報に基づいて、医用画像データ識別子と参照医用画像データ識別子とを検索条件として医用画像データ関連情報管理部１５ａを検索し、また検査情報及び画像データ情報に基づいて、関連のある医用画像データの関連情報を作成・更新する。
【００３４】
以下、画像検査における一連の処理について説明する。
【００３５】
まず、医用画像診断機器１７Ａ，１７Ｂにより対象患者の画像検査を実施して取得した検査画像を、ネットワーク１０を介して医用画像データ保管装置１１に送信する。医用画像データ表示装置１３では、医師が読影や診断、説明などの目的で、対象患者の検査画像について医用画像データ保管装置１１を検索して当該検査画像を取得して表示させる。なお、医用画像データ保管装置１１から予め決められた送信ルールに基づいて事前に医用画像データ表示装置１３に検査画像を送信しておく場合もある。例えば、医用画像データ保管装置１１に送信されたＣＴ検査画像は、必ず医用画像データ表示装置１３に送信する等の送信ルールである。
【００３６】
ところで、ＤＩＣＯＭ規格（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に基づいて検査画像の送受信を行う場合には、ＤＩＣＯＭ規格が定めた通信手順（通信プロトコル）に基づくと同時に、ＤＩＣＯＭ規格に定められたデータ表現に従う必要がある。
【００３７】
すなわち、ＤＩＣＯＭ規格においては、検査画像に含まれる情報は、例えば図２に示すように、患者、検査、シリーズ、画像の階層的な構造を持ち、各検査画像の経緯（いきさつ）を容易に理解できる論理的階層構造を採っている。また、ＤＩＣＯＭ規格では検査、シリーズ、画像を一意に識別するための仕組みとしてＵｎｉｑｕｅ  ＩＤ（単にＵＩＤとも略称される）という概念を設けているため、その検査画像に含まれる情報をもとに、図２に示すように患者、検査、シリーズ、画像という階層構造に基づいて、医用画像データを系統的に分類・処理できるようになっている。
【００３８】
この図２に示すような論理的階層構造を利用することで、医用画像データ表示装置１３では、ユーザは次のような画像選択を行うことができる。すなわち、まず医用画像データ表示装置１３は患者一覧を表示し、該患者一覧表示の中からユーザは患者を選択し、続いて医用画像データ表示装置１３は該選択された患者について実施された検査一覧を表示し、該検査一覧表示の中からユーザは所望の検査を選択し、続いて医用画像データ表示装置１３は該選択された検査が実施されたシリーズ一覧を表示し、該シリーズ一覧表示の中からユーザは所望のシリーズを選択し、最後に医用画像データ表示装置１３は該選択されたシリーズに属する画像一覧を表示し、該画像一覧表示の中からユーザは所望の画像を選択する。
【００３９】
さらに、応用的な画像選択方法としては、例えば、医用画像データ表示装置１３は患者情報を含む検査一覧を最初に表示し、ユーザは該表示を参照して患者と検査とを同時に選択してから画像を選択する方法や、医用画像データ表示装置１３がシリーズと画像とをまとめて表示し、ユーザは該表示を参照して画像を選択する方法等を挙げることができる。また、検索条件として、ユーザが患者名、患者ＩＤ、性別、及び検査日等を指定し、当該検索結果の中からシリーズや画像を選択する方法も考えられる。
【００４０】
ところで、任意の装置に保持されている検査画像に含まれる情報を解析することで、その装置にはどんな患者の画像が保存されているのか、各患者はいつ検査を行ったのか、その検査はどんな検査で、何回撮影が行われたのか、撮影結果である画像は、どんな大きさや撮影位置で行われたのかを知ることができる。
【００４１】
例えば、図２に示す例では、各医用画像データを解析することで、次のような情報（その経緯）を把握することができる。
【００４２】
（把握可能な情報例１）患者Ａは、３回検査が行われており、それぞれ２００８年1月１日と、２００８年２月１日と、２００８年３月１日である。
【００４３】
（把握可能な情報例２）２００８年１月１日に行われた検査は、ＣＴ検査で２回撮影が行われた。
【００４４】
（把握可能な情報例３）１回目の撮影と２回目の撮影でそれぞれＮ枚、Ｍ枚の画像が作成された。
【００４５】
なお、上述したような経緯に係る情報は、当然ながら各医用画像データに明示的に記されているのではなく、ユーザによる解釈で導き出される情報である。
【００４６】
図３は、ＤＩＣＯＭ規格における医用画像データの基本的なデータ構造を示す図である。図３に示すように、医用画像データは、データ要素のセット（系列）として構成される。各データ要素は、タグ（Ｔａｇ）と、ＶＲ（データ型：  Ｖａｌｕｅ  Ｒｅｐｒｅｓｅｎｔａｔｉｏｎ）と、Ｖａｌｕｅ  Ｌｅｎｇｔｈ（データ長）と、Ｖａｌｕｅ  Ｆｉｅｌｄ（データ）と、により構成される。
【００４７】
前記タグは、さらにＧｒｏｕｐとＥｌｅｍｅｎｔに分類できるが固定長である。図４は、ＤＩＣＯＭ規格におけるＧｒｏｕｐ例を示す図である。Ｇｒｏｕｐは、データの種別（カテゴリ）を表す。他方、Ｅｌｅｍｅｎｔは、同一Ｇｒｏｕｐ内でデータを一意に識別するための番号である。
【００４８】
前記ＶＲは、データ型を示す情報を格納するためのものであり、転送条件（Ｔｒａｎｓｆｅｒ  Ｓｙｎｔａｘ）により省略される場合もある。また、ＶＲは固定長である。図５は、ＶＲの例を示す図である。
【００４９】
前記Ｖａｌｕｅ  Ｌｅｎｇｔｈは固定長であり、Ｖａｌｕｅ  Ｆｉｅｌｄに格納されるデータの長さを格納する。ここで、Ｖａｌｕｅ  Ｆｉｅｌｄは、タグに対応するデータそのものを格納する領域である。
【００５０】
医用画像データとしてどのようなデータ要素を含めるかは、ＤＩＣＯＭ規格で定められたサービス種別（ＳＯＰ  Ｃｌａｓｓ  ＵＩＤ:  Ｓｅｒｖｉｃｅ  Ｏｂｊｅｃｔ  Ｐａｉｒ  Ｃｌａｓｓ ：  例えば、ＣＴ  Ｉｍａｇｅ  Ｓｔｏｒａｇｅ）により基本的に決まっている。図６は、サービス種別の例を示す図である。
【００５１】
さらに、各タグは、サービス種別ごとにタイプが決められている。タイプとしては、１，２，３が存在する。前記１はタグとデータが必須、前記２は少なくともタグは必須、前記３はタグとデータの両方が省略可である。前記１と前記２については、条件が合致した場合には、タグとデータとを両方セットしなければならないＣｏｎｄｉｔｉｏｎａｌという修飾語をつけることができる。すなわち、この場合のタイプは１Ｃ，２Ｃとなる。
【００５２】
ところで、近年の医用画像診断機器の高機能化・高性能化に伴い、検査時間の大幅な短縮や検査精度の改良により、作成される検査画像の枚数も増大の一途をたどっている。このため、診断の根拠となる医用画像データについては、印をつけておき、その検査を代表する医用画像データとして扱えるようにして、医療職からの画像検査指示情報（病院情報システム・オーダーエントリシステムにおけるオーダー情報）に紐付けて参照できるようにしていることが多い。
【００５３】
しかしながら、この方法では、各医用画像データに対して紐付けが行われているわけではない。従って、任意の医用画像データを選択し表示している場合に、その医用画像データの参照画像を表示できるわけではないので、有効な診療情報を見逃したり、必要な医用画像データを見つけるのに手間が掛かる等の問題が発生している。また、画像検査指示情報に基づく「紐付け」の場合には、異なる医療施設間では利用することができない。
【００５４】
本第１実施形態に係る画像検索装置及び画像検索システムは、このような問題に鑑みてなされたものであり、本第１実施形態に係る画像検索装置及び画像検索システムによれば、表示している医用画像データに関連する医用画像データを簡便に検索・参照することが可能となり、医療施設を跨いでの検索・参照も可能となる。
【００５５】
以下、検査画像である医用画像データの種類について詳細に説明する。検査画像は次のように３種類に分類される。
【００５６】
（検査画像１）オリジナル画像
医用画像診断機器で作成された医用画像データ。
【００５７】
（検査画像２）オリジナル画像のソフトコピー
医用画像診断機器で作成された画像であって、ネットワークやオフラインメディアなどを介して他の装置に取り込まれた医用画像データ。
【００５８】
（検査画像３）派生画像
オリジナル画像をもとに、３Ｄ等の画像解析やフュージョン等の画像処理が施されて新たに作成された医用画像データ。
【００５９】
以下、関連情報について詳細に説明する。関連情報は次のように５種類に分類される。本第１実施形態においては、関連情報を作成・更新する医用画像データについては、医用画像データ関連情報管理部１５ａに保管されている全ての医用画像データとの間で、以下説明する５種類の関連情報の関係に該当するか否かを判定する。そして、何れかの関連情報の関係に該当する場合には、医用画像データ関連情報管理部１５ａに保管されている医用画像データに関連する医用画像データとして、当該医用画像データを関連情報と共に登録する。なお、関連情報を決定するためのチェック項目については、後に詳述する。
【００６０】
（関連情報１）複製（ＣＯＰＹ）関係を示す情報
同一画像の複製関係。
【００６１】
対応するチェック項目；「同一患者チェック」＋「同一検査チェック」＋「同一シリーズチェック」＋「同一画像チェック」＋「同一撮影装置チェック」
（関連情報２）部位−経過観察関係を示す情報
ある疾病の一連の治療に関連する関係。
【００６２】
対応するチェック項目；「同一患者チェック」＋「同一部位チェック」＋「同一撮影位置チェック」
（関連情報３）部位−画像処理関係を示す情報
元画像から作成された画像の関係。
【００６３】
対応するチェック項目；「同一患者チェック」＋「同一部位チェック」＋「作成方法チェック」
（関連情報４）類推関係１を示す情報
重要画像であるとの類推（登録回数の多さ）による。
【００６４】
（関連情報５）類推関係２を示す情報
重要画像であるとの類推（参照回数の多さ）による。
【００６５】
ここで、関連情報を決定するためのチェック項目としては、以下の項目を挙げることができる。
【００６６】
（チェック項目１）同一患者チェック
医用画像データを解析し、図７に示す患者情報の同一性判定条件例において“同一性比較有無”欄に○が付いている項目について、医用画像データ関連情報管理部１５ａに既に登録されている患者情報と比較して、全て一致する場合（換言すれば、全ての項目に関して同一性有りの場合）には、同一患者を撮影した医用画像データであると判定する。
【００６７】
なお、図７に示す患者情報の同一性判定条件例に、他の属性情報を追加して比較判定しても構わないし、医用画像データに当該タグのデータが無い場合には比較対象から外しても構わない。
【００６８】
（チェック項目２）同一検査チェック
同一患者チェックで、同一患者であると判定された場合に、当該医用画像データについて更に解析を行い、図８に示す検査情報の同一性判定条件例にある“同一性比較有無”欄に○が付いている項目について、医用画像データ関連情報管理部１５ａに登録されている検査情報と比較して、全て一致する場合には同一検査で取得された医用画像データであると判定する。
【００６９】
なお、図８に示す検査情報の同一性判定条件例に、他の属性情報を追加して比較判定しても構わないし、医用画像データに当該タグのデータがない場合には比較対象から外しても構わない。
【００７０】
（チェック項目３）同一シリーズチェック
同一検査チェックで、同一検査で取得された医用画像データであると判定された場合に、医用画像データについて更に解析を行い、図９に示すシリーズ情報の同一性判定条件例における“同一性比較有無”欄に○が付いている項目について、医用画像データ関連情報管理部１５ａに登録されているシリーズ情報と比較して、全て一致する場合には同一シリーズで取得された医用画像データであると判定する。
【００７１】
なお、図９に示すシリーズ情報の同一性判定条件例に、他の属性情報を追加して比較判定しても構わないし、医用画像データに当該タグのデータがない場合には比較対象から外しても構わない。
【００７２】
（チェック項目４）同一画像チェック
同一シリーズチェックで、同一シリーズで取得された医用画像データあると判定された場合に、医用画像データについて更に解析を行い、図１０に示す画像情報の同一性判定条件例にある“同一性比較有無”欄に○が付いている項目について、医用画像データ関連情報管理部１５ａに登録されている画像情報と比較して、全て一致する場合には同一の医用画像データであると判定する。
【００７３】
なお、図１０に示す画像情報の同一性判定条件例に、他の属性情報を追加して比較判定しても構わないし、医用画像データに当該タグのデータがない場合には比較対象から外しても構わない。
【００７４】
（チェック項目５）同一撮影装置チェック
医用画像データを解析して、図１１に示す撮影装置情報の同一性判定条件例にある“同一性比較有無”欄に○が付いている項目について、医用画像データ関連情報管理部１５ａに登録されている撮影装置情報と比較して、全て一致する場合には同一撮影装置で取得された医用画像データであると判定する。
【００７５】
なお、図１１に示す撮影装置情報の同一性判定条件例に、他の属性情報を追加して比較判定しても構わないし、医用画像データに当該タグのデータがない場合には比較対象から外しても構わない。
【００７６】
（チェック項目６）同一部位チェック
医用画像データを解析して、図１２Ａに示す部位情報の同一性判定条件例における“同一性比較有無”欄に○が付いている項目について、予め決められた部位変換表（部位コードと部位分類コードとの対応関係表；図１２Ｂ参照）に基づいて、部位コードを部位分類コードに変換し、該変換後に医用画像データ関連情報管理部１５ａに登録されている部位情報と比較し、全て一致する場合には同一部位を撮影して取得した医用画像データであると判定する。
【００７７】
なお、図１２に示す部位情報の同一性判定条件例に、他の属性情報を追加して比較判定しても構わないし、医用画像データに当該タグのデータがない場合には比較対象から外しても構わない。
【００７８】
ところで、部位コードは、ＤＩＣＯＭ規格で定められている場合や各医療施設毎に定められている場合がある。また、部位コードは非常に細かく分類されている場合があり、それらをより大きな分類にまとめたコードが部位分類コードである。従って、例えば図１２Ｂに示すような部位変換表により部位コードを部位分類コードに変換した後に上述した比較を行うことで、部位の同一性を比較判定することが可能となる。
【００７９】
（チェック項目７）同一撮影位置チェック
医用画像データを解析して、図１３に示す撮影位置情報の同一性判定条件例における“同一性比較有無”欄に○が付いている項目について、医用画像データ関連情報管理部１５ａに登録されている撮影位置情報と比較して、Ｐａｔｉｅｎｔ＿ＰｏｓｉｔｉｏｎとＰａｔｉｅｎｔ＿Ｏｒｉｅｎｔａｔｉｏｎが同じで、且つＳｌｉｃｅ＿Ｌｏｃａｔｉｏｎの空間上の距離が予め登録されている許容範囲内である場合には、同一位置で撮影されて取得された医用画像データあると判定する。
【００８０】
なお、図１３に示す撮影位置情報の同一性判定条件例に、他の属性情報を追加して比較判定しても構わないし、医用画像データに当該タグのデータがない場合には比較対象から外しても構わない。
【００８１】
（チェック項目８）作成方法チェック
医用画像データを解析して、図１４Ａに示す作成方法情報の同一性判定条件例にある同一性比較有無に○が付いている項目のうち、Ａｐｐｌｉｃａｔｉｏｎ  Ｎａｍｅを予め定められた作成方法変換表（図１４Ｂ参照）に基づいて変換したものと、Ａｐｐｌｉｃａｔｉｏｎ  Ｍａｎｕｆａｃｔｕｒｅｒとが、医用画像データ関連情報管理部１５ａに登録されている作成方法情報と比較して同じである場合には、同一のアプリケーションにより作成された医用画像データであると判定する。
【００８２】
なお、図１４に示す作成方法情報の同一性判定条件例に、他の属性情報を追加して比較判定しても構わない。
【００８３】
以下、本第１実施形態に係る医用画像検索装置及び医用画像検索システムによる処理について説明する。本第１実施形態に係る医用画像検索装置及び医用画像検索システムによる基本的な処理動作を大きく分類すると、
（１）検査画像（医用画像データ）に関する情報（以降、付帯情報と称する）の登録処理
（２）付帯情報に基づく関連情報の作成処理
（３）関連情報の検索処理、関連情報の表示処理、関連情報の選択処理、及び関連画像（関連情報に係る医用画像データ）の表示処理
に分類される。
【００８４】
図１５は、図１に示すシステム構成例に記した構成要件のうち、本第１実施形態に係る医用画像検索装置及び医用画像検索システムによる基本的な処理動作に係る構成要件を抽出して示す図である。
【００８５】
図１６は、図１及び図１５に示すシステム構成例における各構成要件である各装置を実現する基本的なハードウェア構成例を示す図である。図１６に示すように、各装置は、パーソナルコンピュータ等のコンピュータ本体５１と、コンピュータ本体５１に接続されているキーボードやマウス等の入力デバイス５３と、プリンタ等の出力デバイス５５と、表示装置５７と、磁気ディスク装置などの外部記憶装置５９と、メモリなどの内部記憶装置６１と、を備えている。
【００８６】
図１７は、医用画像データ関連情報管理部１５ａが保持するデータベースの各テーブル構造例を示す図である。
【００８７】
＜ステップ１：検査画像（医用画像データ）に関する情報（付帯情報）の登録処理＞
上述したように、医用画像診断機器１７Ａ，１７Ｂによる検査対象患者の画像診断で得られた検査画像（医用画像データ）は、当該医用画像診断機器１７Ａ，１７Ｂから医用画像データ保管装置１１及び医用画像データ表示装置１３にネットワーク１０を介して送信される。
【００８８】
なお、医用画像データ表示装置１３は、医用画像データ保管装置１１に保存されている医用画像データを、ネットワーク１０を介して取得することが可能である。
【００８９】
医用画像データ保管装置１１は、検査画像（医用画像データ）を受信すると、受信した検査画像（医用画像データ）に含まれる付帯情報をチェックする。そして、付帯情報に関して問題が無い場合、医用画像データ保管装置１１は、当該検査画像（医用画像データ）をファイル保存するとともに、当該検査画像（医用画像データ）を管理するデータベースである画像管理データベースに、必要な付帯情報を抽出して保存する。
【００９０】
このように画像管理データベースに付帯情報を保存する理由は、同一医用画像データの重複登録のチェックや外部からの検査画像の問合せに対応する為である。ここで付帯情報のチェックとは、例えば、ＤＩＣＯＭ規格上の文法違反のチェック、各装置が必要とする情報の有無のチェック等を挙げることができる。
【００９１】
なお、上述した付帯情報の保存処理を、医用画像データ保管装置１１のみならず医用画像データ表示装置１３にも行わせても勿論よい。
【００９２】
上述したように付帯情報の保存を行った後、医用画像データ関連情報登録要求部１１ａを起動する。そして、医用画像データ関連情報登録要求部１１ａは、当該検査画像の医用画像データに係る医用画像データ識別子、参照医用画像データ識別子、及び患者情報・検査情報・画像データ情報を、前記送信装置識別情報と関連付けて、医用画像データ関連情報管理部に１５ａに対して登録要求する。
【００９３】
前記患者情報は、例えば図１７に示すＰａｔｉｅｎｔ＿Ｔａｂｌｅの各項目が該当する。例えば、Ｐａｔｉｅｎｔ＿ＴａｂｌｅのＰ＿ＩＤは、患者情報を医用画像データ関連情報管理部１５ａに登録する前に、データベース側で自動的に発番される。従って、データベースに対してＰ＿ＩＤの発番要求を行い、該発番結果をＰａｔｉｅｎｔ＿ＴａｂｌｅのＰ＿ＩＤにセットして登録する。
【００９４】
前記検査情報は、図１７に示すＳｔｕｄｙ＿ＴａｂｌｅとＳｅｒｉｅｓ＿Ｔａｂｌｅの各項目が該当する。Ｓｔｕｄｙ＿ＴａｂｌｅのＥ＿ＩＤとＳｅｒｉｅｓ＿ＴａｂｌｅのＳ＿ＩＤは、検査情報を医用画像データ関連情報管理部１５ａに登録する前に、データベース側で自動的に発番される。従って、データベースに対してＥ＿ＩＤやＳ＿ＩＤの発番要求を行い、該発番結果をＰａｔｉｅｎｔ＿ＴａｂｌｅのＥ＿ＩＤやＳ＿ＩＤにセットして登録する。
【００９５】
なお、検査情報を登録する際には、事前に当該患者をＰａｔｉｅｎｔ＿Ｔａｂｌｅに対して検索して、該当するＰ＿ＩＤを併せてセットして登録する。
【００９６】
前記画像データ情報は、図１７に示すＩｍａｇｅ＿Ｔａｂｌｅの各項目が該当する。Ｉｍａｇｅ＿ＴａｂｌｅのＩ＿ＩＤは、画像データ情報を医用画像データ関連情報管理部１５ａに登録する前に、データベース側で自動的に発番される。従って、データベースに対してＩ＿ＩＤの発番要求を行い、該発番結果をＩｍａｇｅ＿ＴａｂｌｅのＩ＿ＩＤにセットして登録する。
【００９７】
なお、画像データ情報を登録する際には、事前に当該シリーズをＳｅｒｉｅｓ＿Ｔａｂｌｅに対して検索して、該当するＳ＿ＩＤを併せてセットして登録する。
【００９８】
前記送信装置識別情報は、図１７に示すＥｑｕｉｐｍｅｎｔ＿Ｔａｂｌｅの各項目である。Ｅｑｕｉｐｍｅｎｔ＿ＴａｂｌｅのＤ＿ＩＤは、装置識別情報を医用画像データ関連情報管理部１５ａに登録する前に、データベース側で自動的に発番される。従って、データベースに対してＤ＿ＩＤの発番要求を行い、該発番結果をＥｑｕｉｐｍｅｎｔ＿ＴａｂｌｅのＤ＿ＩＤにセットして登録する。
【００９９】
なお、送信装置識別情報を登録する際には、事前に当該検査画像（医用画像データ）をＩｍａｇｅ＿Ｔａｂｌｅに対して検索し、該当するＩ＿ＩＤを併せてセットして登録する。ここで、Ｅｑｕｉｐｍｅｎｔ＿ＴａｂｌｅのＮｅｔｗｏｒｋ＿Ａｄｄｒｅｓｓ及びＡＥ＿Ｔｉｔｌｅは医用画像データ中には含まれていない。従って、その医用画像データを受信した装置のＮｅｔｗｏｒｋ＿Ａｄｄｒｅｓｓ(Ｉｎｔｅｒｎｅｔ  Ｐｒｏｔｏｃｏｌ  Ａｄｄｒｅｓｓやドメイン名を含むホスト名)及びＡＥ＿Ｔｉｔｌｅについては、装置設定情報等から取得したものを利用する。
【０１００】
前記医用画像データ識別子は、Ｉｍａｇｅ＿Ｔａｂｌｅの中のＳＯＰ＿Ｉｎｓｔａｎｃｅ＿ＵＩＤが該当する。
【０１０１】
前記参照医用画像データ識別子はＩｍａｇｅ＿Ｔａｂｌｅの中のＲｅｆｅｒｅｎｃｅｄ＿ＳＯＰ＿Ｉｎｓｔａｎｃｅ＿ＵＩＤが該当する。
【０１０２】
なお、Ｉｍａｇｅ＿Ｔａｂｌｅの中のＳＯＰ＿Ｃｌａｓｓ＿ＵＩＤとＲｅｆｅｒｅｎｃｅｄ＿ＳＯＰ＿Ｃｌａｓｓ＿ＵＩＤを参照することで、当該医用画像データの種類を知ることができる（上述した図６参照）。
【０１０３】
なお、上述した通信手段は、医用画像データ関連情報管理部１５ａに搭載されている関係型データベース管理システムが提供するデータ操作言語を介して行う。同一医用画像データが既に登録されている場合には、Ｉｍａｇｅ＿ＴａｂｌｅのＲｅｇｉｓｔｒａｔｉｏｎ＿Ｎｕｍｂｅｒの値をインクリメントしてそのレコードを更新すると共に、Ｎｅｔｗｏｒｋ＿ＡｄｄｒｅｓｓとＡＥ＿Ｔｉｔｌｅが異なる場合には、Ｅｑｕｉｐｍｅｎｔ＿Ｔａｂｌｅに新しいレコードを登録する。
【０１０４】
＜ステップ２：検査画像（医用画像データ）に関する情報（付帯情報）に基づく関連情報の作成処理＞
医用画像データの付帯情報が医用画像データ関連情報管理部１５ａに登録されると、引き続いて医用画像データ関連情報作成部１５ｂが起動される。
【０１０５】
なお、関係型データベース管理システムが持つトリガー機能をＩｍａｇｅ＿Ｔａｂｌｅにセットしておき、Ｉｍａｇｅ＿Ｔａｂｌｅに新しいレコードが登録されたときに医用画像データ関連情報作成部１５ｂが起動されるようにしてもよい。また、ＯＳが提供するスケジューラに定期的に医用画像データ関連情報作成部１５ｂを起動するように設定しておき、Ｉｍａｇｅ＿Ｔａｂｌｅにチェック用フラグを設け、未チェックのレコードを検索して、医用画像データ関連情報作成部１５ｂを起動するようにしても勿論よい。さらには、医用画像データ保管装置１１や医用画像データ表示装置１３側から、ＲＳＨ（リモートシェル）等を利用して直接、医用画像データ関連情報作成部１５ｂを起動するようにしても勿論よい。
【０１０６】
ところで、医用画像データ関連情報作成部１５ｂは、上述した５つの関連情報に対応する次の５つの関係性をチェックする。
【０１０７】
（関連情報１に対応する関係性）複製（ＣＯＰＹ）関係
（関連情報２に対応する関係性）部位−経過観察関係
（関連情報３に対応する関係性）部位−画像処理関係
（関連情報４に対応する関係性）類推関係１（登録回数の多さ）
（関連情報５に対応する関係性）類推関係２（参照回数の多さ）
ただし、ここでは（関連情報１に対応する関係性）については、医用画像データの付帯情報を登録する際に既にチェックされているので、（関連情報２に対応する関係性）及び（関連情報３に対応する関係性）についてチェックする。
【０１０８】
（関連情報２に対応する関係性）については、次のようにチェックする。まず、当該検査画像（医用画像データ）に係る患者の検査一覧を取得し、同一部位の検査／シリーズ下の医用画像データに絞り込んで、該絞り込みで抽出された医用画像データとの撮影位置における距離を算出し、該算出された距離が予め決められた値以下の距離であれば、当該医用画像データをＲｅｌａｔｉｏｎ＿Ｔａｂｌｅに登録する。すなわち、データベースに対して番号の発番要求を行い、該発番結果をＲｅｌａｔｉｏｎ＿ＴａｂｌｅのＲ＿ＩＤにセットして登録する。なお、関連情報を登録する際には、当該医用画像データのＩ＿ＩＤ及びＤ＿ＩＤをセットすると共に、ＲＥＦＥＲＥＮＣＥ＿ＵＩＤに当該医用画像データのＩｍａｇｅ＿ＴａｂｌｅのＳＯＰ＿Ｉｎｓｔａｎｃｅ＿ＵＩＤをセットし、ＲＥＦＥＲＥＮＣＥ＿ＴＹＰＥに“ＯＢＳＥＲＶＥＤ”をセットする。そして、ＵＩＤ＿ＴＹＰＥには、ＩＭＡＧＥ＿ＬＥＶＥＬをセットして登録する。
【０１０９】
（関連情報３に対応する関係性）については、次のようにチェックする。まず、当該検査画像（医用画像データ）に係る患者の検査一覧を取得し、同一部位の検査／シリーズ下の画像に絞り込み、該絞り込みで抽出された医用画像データのＩｍａｇｅ＿Ｔｙｐｅが“ＯＲＩＧＩＮＡＬ”ではなく”ＤＥＲＩＶＥＤ”のものを抽出し、Ｓｅｒｉｅｓ＿ＴａｂｌｅのＡｐｐｌｉｃａｔｉｏｎ  Ｎａｍｅから変換した作成方法を取得し、当該医用画像データをＲｅｌａｔｉｏｎ＿Ｔａｂｌｅに登録する。すなわち、データベースに対して番号の発番要求を行い、該発番結果をＲｅｌａｔｉｏｎ＿ＴａｂｌｅのＲ＿ＩＤにセットして登録する。なお、関連情報を登録する際には、その画像のＩ＿ＩＤ及びＤ＿ＩＤをセットすると共に、ＲＥＦＥＲＥＮＣＥ＿ＵＩＤに当該医用画像データのＩｍａｇｅ＿ＴａｂｌｅのＳＯＰ＿Ｉｎｓｔａｎｃｅ＿ＵＩＤをセットし、ＲＥＦＥＲＥＮＣＥ＿ＴＹＰＥに変換した作成方法（例えば、ＭＩＰ、ＭＰＲ、Ｆｕｓｉｏｎ、ＳＣなど）をセットする。そして、ＵＩＤ＿ＴＹＰＥには、ＩＭＡＧＥ＿ＬＥＶＥＬをセットして登録する。
【０１１０】
なお、例えばフュージョン等のような画像処理の場合には、２種類の画像（ＣＴとＰＥＴ、ＣＴとＭＲなど）が参照画像となるので、１枚の医用画像データに１つ以上の関連情報が登録される。また、３Ｄ等のような画像処理の場合には、一連の医用画像データ（たとえば、シリーズの全画像など）が参照画像となるので、その場合にはシリーズのＳＯＰ＿Ｉｎｓｔａｎｃｅ＿ＵＩＤをセットし、ＵＩＤ＿ＴＹＰＥにＳＥＲＩＥＳ＿ＬＥＶＥＬをセットする。
【０１１１】
（関連情報４に対応する関係性）については、次のようにチェックする。まず、当該検査画像（医用画像データ）に係る患者の検査一覧を取得し、同一部位の検査／シリーズ下の画像に絞り込み、該絞り込みで抽出された医用画像データのＲｅｇｉｓｔｒａｔｉｏｎ＿Ｎｕｍｂｅｒが予め決められた値を超えている場合に、その画像をＲｅｌａｔｉｏｎ＿Ｔａｂｌｅに登録する。すなわち、データベースに対して番号の発番要求を行い、該発番結果をＲｅｌａｔｉｏｎ＿ＴａｂｌｅのＲ＿ＩＤにセットして登録する。なお、関連情報を登録する際には、その画像のＩ＿ＩＤと、Ｄ＿ＩＤをセットするとともに、ＲＥＦＥＲＥＮＣＥ＿ＵＩＤに当該医用画像データのＩｍａｇｅ＿ＴａｂｌｅのＳＯＰ＿Ｉｎｓｔａｎｃｅ＿ＵＩＤをセットし、ＲＥＦＥＲＥＮＣＥ＿ＴＹＰＥに“Ｈｅｕｒｉｓｔｉｃ”をセットする。そして、ＵＩＤ＿ＴＹＰＥには、ＩＭＡＧＥ＿ＬＥＶＥＬをセットして登録する。これは、マクロな視点で見たときに診断根拠となる医用画データは複数の医療施設に流通し、医療従事者が参照しているという経験則によるものである。
【０１１２】
（関連情報５に対応する関係性）については、次のようにチェックする。まず、当該検査画像（医用画像データ）に係る患者の検査一覧を取得し、同一部位の検査／シリーズ下の画像に絞り込み、該絞り込みで抽出された医用画像データのＲｅｆｅｒｅｎｃｅｄ＿Ｎｕｍｂｅｒが予め決められた値を超えている場合に、当該医用画像データをＲｅｌａｔｉｏｎ＿Ｔａｂｌｅに登録する。すなわち、データベースに対して番号の発番要求を行い、該発番結果をＲｅｌａｔｉｏｎ＿ＴａｂｌｅのＲ＿ＩＤにセットして登録する。なお、関連情報を登録する際には、その画像のＩ＿ＩＤ及びＤ＿ＩＤをセットすると共に、ＲＥＦＥＲＥＮＣＥ＿ＵＩＤに当該医用画像データのＩｍａｇｅ＿ＴａｂｌｅのＳＯＰ＿Ｉｎｓｔａｎｃｅ＿ＵＩＤをセットし、ＲＥＦＥＲＥＮＣＥ＿ＴＹＰＥに“Ｈｅｕｒｉｓｔｉｃ”をセットする。そして、ＵＩＤ＿ＴＹＰＥには、ＩＭＡＧＥ＿ＬＥＶＥＬをセットして登録する。これは、マクロな視点で見たときに診断根拠となる医用画像は複数の医療施設に流通し、医療従事者が参照しているという経験則によるものである。なお、Ｒｅｆｅｒｅｎｃｅｄ＿Ｎｕｍｂｅｒとは、関連情報の検索時に、検索結果として応答した回数を記録したデータである。
【０１１３】
＜ステップ３：関連情報の検索処理＞
ユーザは、所望の医用画像データを医用画像データ表示装置１３に表示させる為に、医用画像データ関連情報検索部１３ｂを起動する。医用画像データ関連情報検索部１３ｂは、医用画像データ識別子を検索条件として、医用画像データ関連情報管理部１５ａから、当該医用画像データ識別子に対応する医用画像データと関連を有する医用画像データに係る送信装置識別情報、患者情報・検査情報・画像データ情報、参照医用画像データ識別子、及び関連情報を取得する。
【０１１４】
換言すれば、医用画像データ関連情報検索部１３ｂは、表示されている医用画像データのＳＯＰ＿Ｉｎｓｔａｎｃｅ＿ＵＩＤを検索条件として前記医用画像データ関連情報管理部１５ａに検索要求を行い、当該検索処理結果として当該検索処理に係る医用画像データと関連を有する医用画像データに係るＰａｔｉｅｎｔ＿Ｔａｂｌｅと、Ｓｔｕｄｙ＿Ｔａｂｌｅ、Ｓｅｒｉｅｓ＿Ｔａｂｌｅと、Ｉｍａｇｅ＿Ｔａｂｌｅと、Ｅｑｕｉｐｍｅｎｔ＿Ｔａｂｌｅと、Ｒｅｌａｔｉｏｎ＿Ｔａｂｌｅと、をＪＯＩＮして、Ｅｑｕｉｐｍｅｎｔ＿ＴａｂｌｅのＮｅｔｗｏｒｋ＿Ａｄｄｒｅｓｓと、ＡＥ＿Ｔｉｔｌｅと、Ｒｅｌａｔｉｏｎ＿ＴａｂｌｅのＲｅｆｅｒｅｎｃｅ＿ＵＩＤと、Ｒｅｆｅｒｅｎｃｅ＿Ｔｙｐｅと、Ｓｅｒｉｅｓ＿ＴａｂｌｅのＭｏｄａｌｉｔｙと、Ｓｅｒｉｅｓ＿Ｄａｔｅと、Ｉｍａｇｅ＿ＴａｂｌｅのＳＯＰ＿Ｃｌａｓｓ＿ＵＩＤと、ＳＯＰ＿Ｉｎｓｔａｎｃｅ＿ＵＩＤと、を前記医用画像データ関連情報管理部１５ａから取得する。なお、上述した情報以外の情報を取得しても勿論構わない。
【０１１５】
また、Ｓｅｒｉｅｓ＿Ｄａｔｅでソートして、検索結果を日付順とする。さらに、ＳＯＰ＿Ｉｎｓｔａｎｃｅ＿ＵＩＤがＩｍａｇｅ＿ＴａｂｌｅのＳＯＰ＿Ｉｎｓｔａｎｃｅ＿ＵＩＤと同じになるものと、Ｒｅｌａｔｉｏｎ＿ＴａｂｌｅのＲｅｆｅｒｅｎｃｅ＿ＵＩＤと一緒になるレコードの、上記の情報を検索結果として取得する。
【０１１６】
ところで、Ｉｍａｇｅ＿ＴａｂｌｅのＳＯＰ＿Ｉｎｓｔａｎｃｅ＿ＵＩＤは、その医用画像データが親ノードとなり、参照医用画像データが子ノードとなる。これに対し、Ｒｅｌａｔｉｏｎ＿ＴａｂｌｅのＲｅｆｅｒｅｎｃｅ＿ＵＩＤはその医用画像データが子ノードとなり、参照医用画像データが親ノードとなる。この識別は、検索結果のＳＯＰ＿Ｉｎｓｔａｎｃｅ＿ＵＩＤ及びＲｅｆｅｒｅｎｃｅ＿ＵＩＤと、検索条件のＳＯＰ＿Ｉｎｓｔａｎｃｅ＿ＵＩＤとを比較することでわかる。
【０１１７】
これらの通信は、医用画像データ関連情報管理部１５ａに搭載されている関係型データベース管理システムが提供するデータ操作言語を介して行っても構わないし、要求側と応答側を設けて、ＳＯＡＰ(Ｓｉｍｐｌｅ Ｏｂｊｅｃｔ Ａｃｃｅｓｓ Ｐｒｏｔｏｃｏｌ)や、ＲＰＣ(Ｒｅｍｏｔｅ Ｐｒｏｃｅｄｕｒｅ Ｃａｌｌ)等の通信プロトコルで実装しても構わない。
【０１１８】
以下、要求側と応答側とに分けて処理の流れを詳細に説明する。
【０１１９】
［ステップＳ３−１］要求側は、応答側が動作しているネットワーク１０上のアドレス（例えば、ＩＰアドレスやＵＲＬ等）を指定して、データタグを通信プロトコルで定められたデータ形式に変換し、該通信プロトコルに則って応答側に送信する。以下、ＳＯＡＰ形式で通信する場合を例に説明する。
【０１２０】
ＳＯＡＰ形式を採る場合には、基本的には、メッソド名、パラメータ名、パラメータのデータ型、パラメータの値をＳＯＡＰ形式で送信する。以下、具体的に一例を示す。
【０１２１】
・メソッド名：Ｑｕｅｒｙ  ＤＩＣＯＭ  Ｍｅｔｈｏｄ
・パラメータ名：ＳＯＰ＿Ｉｎｓｔａｎｃｅ＿ＵＩＤ
・パラメータのデータ型：Ｓｔｒｉｎｇ(文字列型）
・パラメータの値：１．２.３．４.５．６
［ステップＳ３−２］応答側は、受信したデータであるデータタグに基づいて、医用画像データ関連情報管理部１５ａのデータベースを検索する。そして、応答側は、検索結果をＸＭＬデータに変換して、要求側に対して返信する。
【０１２２】
ＳＯＡＰ形式の場合には、基本的には、レスポンスデータ名、レスポンスデータのデータ型、及びレスポンスデータの値をＳＯＡＰ形式で返信する。以下、具体的に一例を示す。
【０１２３】
・レスポンスデータ名：ＳｅｔＤＩＣＯＭＭｅｔｈｏｄ
・レスポンスデータのデータ型：Ｓｔｒｉｎｇ(文字列型）
・レスポンスデータの値：<ＲＯＯＴ><ＲＥＣＯＲＤ> <ＮＥＴＷＯＲＤ＿ＡＤＤＲＥＳＳ>１９２．１.１．１０<／ＮＥＴＷＯＲＤ＿ＡＤＤＲＥＳＳ> <ＡＥ＿ＴＩＴＬＥ>ＴＯＳＨＩＢＡ＿ＷＳ１<／ＡＥ＿ＴＩＴＬＥ> <ＲＥＦＥＲＥＮＣＥ＿ＵＩＤ>３.４．５.６．７<／ＲＥＦＥＲＥＮＣＥ＿ＵＩＤ> <ＲＥＦＥＲＥＮＣＥ＿ＴＹＰＥ>ＭＰＲ<／ＲＥＦＥＲＥＮＣＥ＿ＴＹＰＥ> <ＭＯＤＡＬＩＴＹ>ＣＴ<／ＭＯＤＡＬＩＴＹ><ＳＥＲＩＥＳ＿ＤＡＴＥ>２００８０３０１<／ＳＥＲＩＥＳ＿ＤＡＴＥ><／ＲＥＣＯＲＤ><／ＲＯＯＴ>
［ステップＳ３−３］要求側は、受信したデータ（ＸＭＬ）を解析して、該当するレコードの有無を判断し、該判断結果に基づいて、当該レコードから検索結果を取得する。
【０１２４】
なお、ＳＯＡＰは，Ｒｅｍｏｔｅ  Ｐｒｏｃｅｄｕｒｅ  Ｃａｌｌ(以降、ＲＰＣと略称する)という通信方式を採用しており、ＲＰＣクライアント（送信データ作成情報照会手段）は、送信データ作成情報照会回答手段であるＲＰＣサーバに対して、データタグを検索するようにリクエストメッセージを送信する（コールする）。ＲＰＣサーバは、ＲＰＣクライアントから送られたリクエストメッセージを受信し、メソッド名(Ｑｕｅｒｙ  ＤＩＣＯＭ  Ｍｅｔｈｏｄ)から、そのパラメータとしてデータタグの値を受け取り、該受け取ったデータタグを検索条件として検索を行い、該検索結果をレスポンスメッセージとしてＲＰＣクライアントに送信する。
【０１２５】
＜ステップ４：関連情報の表示処理＞
医用画像データ表示装置１３は、ステップＳ３における検索処理で検索された関連情報を取得し、該関連情報をメニュー形式にて医用画像データ表示部１３Ｃに表示する。図１８は、この一表示画面例を示す図である。図１８に示す例では、メニュー形式の関連情報表示１００を次のように表示している。すなわち、親ノードへの参照１００Ａと子ノードへの参照１００Ｂとを、メニューの境界線１００Ｃで区切って表示し、且つ矢印の向きにより区別できるように表示している。また、参照情報としては、検査日、モダリティ種別、及び関係種別を表示している。
【０１２６】
ここで、図１９は医用画像データ上に直接関連情報を表示する例を示す図である。それぞれの関連情報はソフトボタン１０１として表示され、ユーザがそれらソフトボタン１０１を表示画面上でクリックすると、その関連情報に係る関連画像が新たなウインドウ内に表示される。図１９に示す例では、表示に係る医用画像データの付帯情報を表示する為に多くの表示領域を使用しているので、親ノードへの参照と子ノードへの参照とは三角形のアイコン１０１Ａの向きと色で区別して表示している。また、マウスポイントを前記三角形のアイコン１０１Ａ上に移動させると、チップヘルプ形式で参照情報として、検査日とモダリティ種別と関係種別とが表示されるように構成している。
【０１２７】
なお、メニューボタンの色及びサイズ等を、関連情報のＲＥＦＥＲＥＮＣＥ＿ＴＹＰＥに応じて変更しても勿論よいし、関連情報が多数存在する場合には、表示する関連情報の数を切り替えたり、予め決められた数までの関連情報を最初に表示させるように構成しても勿論よい。
【０１２８】
ところで、関連情報は日付順にソートされている為、例えば最初のレコードは検索日から最も近い医用画像データとなり、最後のレコードは検索日から最も遠い医用画像データとなる。なお、実際に診断に用いられる医用画像データは、１年以内に取得された医用画像データが主であるという経験則がある。従って、例えば図２０に示すように、取得日から1ヶ月以内、３ヶ月以内、６ヶ月以内、１２ヶ月以内、及びそれ以降等のように、表示する医用画像データをその取得時からの経過期間を示す情報１０２を関連情報として表示し、選択された経過期間によって表示を切り替えるように構成しても勿論よい。
【０１２９】
＜ステップ５：関連情報の選択処理と関連画像の表示処理＞
上述したステップＳ４において、ユーザにより所望の関連情報（関連画像）が選択されると、医用画像データ表示装置１３は、関連情報のうちのＮＥＴＷＯＲＫ＿ＡＤＤＲＥＳＳ及びＡＥ＿ＴＩＴＬＥを用いたＤＩＣＯＭ規格で定められたＱｕｅｒｙ＆Ｒｅｔｒｉｅｖｅサービスクラスを利用して、指定されたＳＯＰ＿Ｉｎｓｔａｎｃｅ＿ＵＩＤの医用画像データを取得し、該医用画像データを、関連情報のうちのＲＥＦＥＲＥＮＣＥ＿ＴＹＰＥに応じた画像表示アプリケーションを起動して表示させる。
【０１３０】
例えば、ＲＥＦＥＲＥＮＣＥ＿ＴＹＰＥに“ＭＩＰ”とあれば、ＭＩＰ処理が可能な画像表示アプリケーションを使ってその画像を表示させる。また、ＤＩＣＯＭ規格で定められたＷｅｂ  Ａｃｃｅｓｓサービスクラスを利用して、医用画像データを直接Ｗｅｂブラウザ上で表示させる構成としても勿論よい。この場合には、Ｗｅｂ  Ａｃｃｅｓｓサービス（ＷＡＤＯ: Ｗｅｂ  Ａｃｃｅｓｓ  ｔｏ  ＤＩＣＯＭ  Ｐｅｒｓｉｓｔｅｎｔ．  Ｏｂｊｅｃｔｓ）で定められた形式に変換してＮＥＴＷＯＲＫ＿ＡＤＤＲＥＳＳにより指定されたコンピュータに、ＳＯＰ＿Ｉｎｓｔａｎｃｅ＿ＵＩＤを指定して要求すると、該要求の結果として汎用医用画像データ形式の当該医用画像データが医用画像データ表示装置１３に送信される。そして、医用画像データ表示装置１３は、この医用画像データをＷｅｂブラウザ上で参照表示する。
【０１３１】
このように構成することにより、複数の機器や施設を跨って、医用画像データを共有することができ、且つ個々の医用画像データから最も有効な参照画像を検索・表示することが可能となり、診療行為を大きく補助することができる。
【０１３２】
なお、本第１実施形態では、説明の便宜上、単一の医療施設で用いる場合を例に説明したが、複数の医療施設間で用いることも勿論可能である。その方法としては、例えばＶＰＮ等のネットワーク技術を利用して、複数の医療施設間でプライベートネットワークを構築し、あたかも１つの医療施設内のネットワークであるかのように複数医療施設を接続する手法や、各医療施設をインターネットなどのパブリックネットワークに接続し、パブリックネットワークからアクセスできるようなネットワークアドレスを付与し、特定の医療施設からの通信を許可して、医療施設内の装置との通信が出来るようにする手法や、リバースプロキシーサーバをパブリックネットワーク上に設置して、外部からの通信を医療施設内にフォワードしたりする手法等を挙げることができる。
【０１３３】
以上説明したように、本第１実施形態によれば、医用画像データ間の関連性を示す関連情報を生成して利用することで、或る医用画像データと所定の関連性を有する医用画像データを直接的に検索することができ、且つ複数の異なる装置間であっても前記検索が可能な画像検索装置及び画像検索システムを提供することができる。
【０１３４】
換言すれば、本第１実施形態に係る画像検索装置及び画像検索システムによれば、所望の医用画像データから直接的に参照医用画像データを検索することができ、且つ複数の異なる装置間で上述した関連情報を共有することで任意の端末装置上で参照医用画像データの検索を行うことが可能となる。
【０１３５】
つまり、本第１実施形態に係る画像検索装置及び画像検索システムによれば、複数の機器や施設を跨って医用画像データを共有することができると共に、個々の医用画像データから最も有効な参照画像を検索・表示することが可能となる為、診療行為の質の向上に大いに寄与する。
【０１３６】
［第２実施形態］
以下、本発明の第２実施形態に係る画像検索装置及び画像検索システムについて説明する。なお、説明の重複を避ける為、第１実施形態に係る画像検索装置及び画像検索システムとの相違点について説明する。
【０１３７】
第１実施形態に係る画像検索装置及び画像検索システムと、本第２実施形態に係る画像検索装置及び画像検索システムとの主な相違点の一つは次の点である。すなわち、本第２実施形態に係る画像検索装置及び画像検索システムでは、医用画像データ関連情報検索部１３ｂによる上述の検索処理で抽出された関連情報の件数が予め定められた件数よりも多い場合には、関連情報のうちのＲＥＦＥＲＥＮＣＥ＿ＴＹＰＥ及びＳＥＲＩＥＳ＿ＤＡＴＥに基づいて、後述する“確度情報”を算出し、該算出した確度を関連情報と同時に医用画像データ表示部１３ｃに表示する。図２１は、医用画像データ表示部１３ｃに、確度情報と関連情報とを同時に示す表示１０３を表示させる場合の一表示例を示す図である。
【０１３８】
図２１に示すように確度情報はパーセント表示される情報であり、ユーザは該確度情報を参照して、より適切な関連情報を選択することが可能となる。具体的には、確度情報は例えば以下のように算出される。
【０１３９】
ＩＦ ＩＮＴ(ＳＥＲＩＥＳ＿ＤＡＴＥ − ＴＯＤＡＹ) ／ ３０)  < ＝ １２ ＴＨＥＮ
確度 ＝ １００％ − (１２ − ＩＮＴ(ＳＥＲＩＥＳ＿ＤＡＴＥ − ＴＯＤＡＹ) ／ ３０) ＊ ５％
ＥＬＳＥ
確度 ＝ ４０％
ＥＮＤＩＦ
ＩＦ (ＲＥＦＥＲＥＮＣＥ＿ＴＹＰＥ ＝ “ＯＢＳＥＲＶＥＤ”) ＴＨＥＮ
確度 ＝ 確度
ＥＬＳＥ ＩＦ (ＲＥＦＥＲＥＮＣＥ＿ＴＹＰＥ ＝ “ＭＩＰ”)  ＴＨＥＮ
確度 ＝ 確度
ＥＬＳＥ ＩＦ (ＲＥＦＥＲＥＮＣＥ＿ＴＹＰＥ ＝ “ＭＰＲ”)  ＴＨＥＮ
確度 ＝ 確度
ＥＬＳＥ ＩＦ (ＲＥＦＥＲＥＮＣＥ＿ＴＹＰＥ ＝ “ＦＵＳＩＯＮ”)  ＴＨＥＮ
確度 ＝ 確度
ＥＬＳＥ ＩＦ (ＲＥＦＥＲＥＮＣＥ＿ＴＹＰＥ ＝ “Ｈｅｕｒｉｓｔｉｃ”)  ＴＨＥＮ
確度 ＝ 確度 − １０％
ＥＮＤＩＦ
なお、ＲＥＦＥＲＥＮＣＥ＿ＴＹＰＥ及びＳＥＲＩＥＳ＿ＤＡＴＥに加えて、Ｒｅｇｉｓｔｒａｔｉｏｎ＿Ｎｕｍｂｅｒ，Ｒｅｆｅｒｅｎｃｅｄ＿Ｎｕｍｂｅｒ，Ｍｏｄａｌｉｔｙ等の情報を更に加味して確度を算出しても勿論よい。
【０１４０】
以上説明したように、本第２実施形態によれば、第１実施形態に係る画像検索装置及び画像検索システムと同様の効果を奏する上に、医用画像データ関連情報検索部１３ｂによる上述の検索処理で抽出された関連情報の件数が予め定められた件数よりも多い場合には、ユーザは上述した確度情報を参照して、より有用な関連情報を絞り込むことが可能な画像検索装置及び画像検索システムを提供することができる。
【０１４１】
［第３実施形態］
以下、本発明の第３実施形態に係る画像検索装置及び画像検索システムについて説明する。なお、説明の重複を避ける為、第１実施形態に係る画像検索装置及び画像検索システムとの相違点について説明する。
【０１４２】
第１実施形態に係る画像検索装置及び画像検索システムと、本第３実施形態に係る画像検索装置及び画像検索システムとの主な相違点の一つは次の点である。本第３実施形態に係る画像検索装置及び画像検索システムは、医用画像データ表示部１３ｃ上に表示できる情報量に限りがあることを鑑みて提案されたものであり、医用画像データ表示部１３ｃに表示する情報を制御する。
【０１４３】
すなわち、医用画像データ関連情報検索部１３ｂによる上述の検索処理結果に基づいて関連の深さ情報（後述する“位置確度”及び“時間的距離”）を算出し、該関連の深さ情報を参照して、医用画像データ表示部１３ｃに実際に表示する関連情報を制御する。
【０１４４】
図２２は、縦軸に“医用画像データ間（対象医用画像データと参照医用画像データと）の撮影位置における距離（撮影位置のずれ量；以降、位置確度と称する）”を取り、横軸に“参照医用画像データにおける当該検索処理当日から検査日までの時間的距離”を取ったグラフを示す図である。図２２においてグラフ上に示される三角形状（三角形の開き角度）を、関連情報の所望表示件数に適合するように設定することで、該三角形状に応じた関連情報の間引き処理が行われる。
【０１４５】
なお、縦軸に取る“医用画像データ間（対象医用画像データと参照医用画像データと）の撮影位置における距離Ｄ”は、２枚の医用画像データの撮影位置（原点）をそれぞれ図２３に示すようにＯＭ，ＯＮとすると、
【数１】
2010082002.tif 000003
【０１４６】
と表される。なお、Ｘ軸、Ｙ軸、及びＺ軸は任意に設定できる。
【０１４７】
詳細には、例えば図２２に示す三角形状７１を採る場合には検査日（撮影による取得日）から１ヶ月以内、三角形状７３を採る場合には検査日から３ヶ月以内、三角形状７５を採る場合には検査日から６ヶ月以内、三角形状７７を採る場合には検査日から１年以内、三角形状７９を採る場合には検査日から１年以上経過、の医用画像データであって、且つそれぞれの三角形状が該当する“位置確度”を満たす医用画像データが選択されて医用画像データ表示部１３ｃに表示される。図２４は、医用画像データ表示部１３ｃに、関連情報として検査日からの経過期間と位置確度とを同時に示す表示１０４を表示させる場合の一表示例を示す図である。
【０１４８】
換言すれば、例えば横軸に関して大きな値を取った三角形状を採用した場合、広い期間の関連情報が表示されるように間引きされるように成り、横軸に関して小さな値を取った三角形状を採用した場合、選択されている関連情報を中心にして“位置確度”に関しては間引き基準が緩く成る。
【０１４９】
更に言えば、図２２に示すグラフにおける三角形の面積を小さく設定するほど、抽出される関連情報の関連性は高くなり、三角形の面積を大きく設定するほど、抽出される関連情報の関連性は低くなる。
【０１５０】
以上説明したように、本第３実施形態によれば、第１実施形態に係る画像検索装置及び画像検索システムと同様の効果を奏する上に、医用画像データ関連情報検索部１３ｂによる上述の検索処理結果に基づいて関連の深さ情報（“位置確度”及び“時間的距離”）を算出し、該関連の深さ情報を参照して、医用画像データ表示部１３ｃに表示する関連情報を制御することができる画像検索装置及び画像検索システムを提供することができる。
【０１５１】
［第４実施形態］
以下、本発明の第４実施形態に係る画像検索装置及び画像検索システムについて説明する。なお、説明の重複を避ける為、第１実施形態に係る画像検索装置及び画像検索システムとの相違点について説明する。
【０１５２】
第１実施形態に係る画像検索装置及び画像検索システムと、本第４実施形態に係る画像検索装置及び画像検索システムとの主な相違点の一つは次の点である。本第４実施形態に係る画像検索装置及び画像検索システムは、医用画像データ関連情報検索部１３ｂによる上述の検索処理結果に基づいて検索要求頻度情報（検索要求された頻度を示す情報）を算出し、該検索要求頻度情報に基づいて医用画像データ表示部１３ｃに表示する関連情報を制御する。
【０１５３】
具体的には、例えば検索要求頻度情報を高頻度・中頻度・低頻度の３段階に設定し、図２５に示すように医用画像データ表示部１３ｃに関連情報として高頻度・中頻度・低頻度の検索要求頻度情報表示１０５を表示する。ここで、これら検索要求頻度情報についてユーザが所望の段階を選択可能なように構成し、ユーザにより選択された検索要求頻度に応じて、医用画像データ表示部１３ｃに表示する関連情報を切り替える。
【０１５４】
なお、高頻度・中頻度・低頻度に該当する範囲は、予め設定することができるように構成してもよい。例えば、１回以下は、低頻度、２回以上５回以下は中頻度、６回以上は高頻度、等に設定すればよい。
【０１５５】
以上説明したように、本第４実施形態によれば、第１実施形態に係る画像検索装置及び画像検索システムと同様の効果を奏する上に、検索要求頻度情報に基づいて医用画像データ表示部１３ｃに表示する関連情報を制御することができる画像検索装置及び画像検索システムを提供することができる。
【０１５６】
［第５実施形態］
以下、本発明の第５実施形態に係る画像検索装置及び画像検索システムについて説明する。なお、説明の重複を避ける為、第１実施形態に係る画像検索装置及び画像検索システムとの相違点について説明する。
【０１５７】
第１実施形態に係る画像検索装置及び画像検索システムと、本第５実施形態に係る画像検索装置及び画像検索システムとの主な相違点の一つは次の点である。本第５実施形態に係る画像検索装置及び画像検索システムは、医用画像データ関連情報検索部１３ｂによる検索処理で抽出された件数が０件の場合に、自動的に同一性判定条件の基準を段階的に緩和して、少なくとも１件は抽出されるまで、検索処理を繰り返し実行する。
【０１５８】
具体的には、例えば、同一性判定条件としていくつかの基準値を予め設けておき（例えば距離であれば１０ピクセル、２０ピクセル、５０ピクセル等）、それら基準値を段階的に緩和していく。これにより、ユーザ自ら検索処理に係る検索条件を何回も変更する必要がなくなる。
【０１５９】
なお、検索処理結果を基準値としてＲｅｌａｔｉｏｎ＿Ｔａｂｌｅに格納しておき、検索条件としてその基準値を与えるように構成することで、動的に基準値を切り替えることが可能となる。
【０１６０】
以上説明したように、本第５実施形態によれば、第１実施形態に係る画像検索装置及び画像検索システムと同様の効果を奏する上に、ユーザ自ら検索処理に係る検索条件を何回も変更せずとも、少なくとも１件は抽出されるまで検索処理が繰り返し実行される画像検索装置及び画像検索システムを提供することができる。
【０１６１】
以上、第１実施形態乃至第５実施形態に基づいて本発明を説明したが、本発明は上述した実施形態に限定されるものではなく、本発明の要旨の範囲内で種々の変形及び応用が可能なことは勿論である。
【０１６２】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１６３】
【図１】本発明の第１実施形態に係る医用画像検索システムの一構成例を示す図。
【図２】医用画像データの論理的階層構造の一例を示す図。
【図３】ＤＩＣＯＭ規格におけるデータ構造の一例を示す図。
【図４】ＤＩＣＯＭ規格におけるＧｒｏｕｐ例を示す図。
【図５】ＤＩＣＯＭ規格におけるＶＲ例を示す図。
【図６】ＤＩＣＯＭ規格におけるサービス種別例を示す図。
【図７】患者情報の同一性判定条件例を示す図。
【図８】検査情報の同一性判定条件例を示す図。
【図９】シリーズ情報の同一性判定条件例を示す図。
【図１０】画像情報の同一性判定条件例を示す図。
【図１１】装置情報の同一性判定条件例を示す図。
【図１２Ａ】部位情報の同一性判定条件例を示す図。
【図１２Ｂ】部位コードと部位分類コードとの対応関係表を示す図。
【図１３】撮影位置情報の同一性判定条件例を示す図。
【図１４Ａ】作成方法情報の同一性判定条件例を示す図。
【図１４Ｂ】Ａｐｐｌｉｃａｔｉｏｎ  Ｎａｍｅを変換する為の作成方法変換表の一例を示す図。
【図１５】図１に示すシステム構成例に記した構成要件のうち、本発明の第１実施形態に係る医用画像検索装置及び医用画像検索システムによる基本的な処理動作に係る構成要件を抽出して示した図。
【図１６】図１及び図１５に示すシステム構成例における各構成要件である各装置の基本的なハードウェア構成例を示す図。
【図１７】医用画像データ関連情報管理部１５ａが保持するデータベースの各テーブル構造例を示す図。
【図１８】関連情報の表示画面例を示す図。
【図１９】関連情報の表示画面例を示す図。
【図２０】関連情報の表示画面例を示す図。
【図２１】関連情報の表示画面例を示す図。
【図２２】縦軸に“医用画像データ間（対象医用画像データと参照医用画像データと）の撮影位置における距離（位置確度）”を取り、横軸に“参照医用画像データにおける当該検索処理当日から検査日までの時間的距離”を取ったグラフを示す図。
【図２３】医用画像データ間（対象医用画像データと参照医用画像データと）の撮影位置における距離Ｄを示す図。
【図２４】関連情報の表示画面例を示す図。
【図２５】関連情報の表示画面例を示す図。
【符号の説明】
【０１６４】
１…医用画像検索システム、  １０…ネットワーク、  １１…医用画像データ保管装置、  １１ａ…医用画像データ関連情報登録要求部、  １３…医用画像データ表示装置、  １３ａ…医用画像データ関連情報登録要求部、  １３ｂ…医用画像データ関連情報検索部、  １３ｃ…医用画像データ表示部、  １５…医用画像データ所在管理装置、  １５ａ…医用画像データ関連情報管理部、  １５ｂ…医用画像データ関連情報作成部、  １７Ａ．１７Ｂ…医用画像診断機器、  ５１…コンピュータ本体、  ５３…入力デバイス、  ５５…出力デバイス、  ５７…表示装置、  ５９…外部記憶装置、  ６１…内部記憶装置。
【図１】
2010082002.tif 000004
【図２】
2010082002.tif 000005
【図３】
2010082002.tif 000006
【図４】
2010082002.tif 000007
【図５】
2010082002.tif 000008
【図６】
2010082002.tif 000009
【図７】
2010082002.tif 000010
【図８】
2010082002.tif 000011
【図９】
2010082002.tif 000012
【図１０】
2010082002.tif 000013
【図１１】
2010082002.tif 000014
【図１２Ａ】
2010082002.tif 000015
【図１２Ｂ】
2010082002.tif 000016
【図１３】
2010082002.tif 000017
【図１４Ａ】
2010082002.tif 000018
【図１４Ｂ】
2010082002.tif 000019
【図１５】
2010082002.tif 000020
【図１６】
2010082002.tif 000021
【図１７】
2010082002.tif 000022
【図１８】
2010082002.tif 000023
【図１９】
2010082002.tif 000024
【図２０】
2010082002.tif 000025
【図２１】
2010082002.tif 000026
【図２２】
2010082002.tif 000027
【図２３】
2010082002.tif 000028
【図２４】
2010082002.tif 000029
【図２５】
2010082002.tif 000030